(57)【要約】【課題】  本発明は、娯楽性を向上し得るデータ記録方法を提案する。【解決手段】  本発明は、時間逆転間欠記録の操作指示を受け付けてから、所定の記録時間に対応したフレーム数だけ順方向記録を行った後、磁気テープ４１を７フレーム分だけ巻戻し、３０秒間待機してから、６フレーム分のフレームデータＦを標準形式で順次記録する巻戻記録処理を繰り返すことによって、磁気テープ４１の逆方向に沿って順次新しくなるようにフレームデータＦを１フレームずつ残していくことができ、標準再生処理によって当該磁気テープ４１を順方向に再生した際に、乱れのない時間逆転間欠映像を再生することができ、かくして娯楽性を向上させることができる。【選択図】        図４
2005174464.tif 000002
【特許請求の範囲】
【請求項１】
データを所定の記録単位毎にテープ状記録媒体に記録するデータ記録方法において、
第１の記録単位数だけ上記テープ状記録媒体を巻戻す第１のステップと、
上記第１のステップで巻戻された位置から順方向に、上記第１の記録単位数よりも少ない第２の記録単位数に対応する上記データを順次上記テープ状記録媒体に記録する第２のステップとを具え、
上記第１のステップ及び上記第２のステップを順次繰り返し実行する
ことを特徴とするデータ記録方法。
【請求項２】
上記第２のステップでは、
上記第１のステップで巻戻された位置で所定の時間だけ待機し、当該時間経過後上記位置から上記第１の記録単位数よりも少ない第２の記録単位数に対応する上記データを順次上記テープ状記録媒体に記録する
ことを特徴とする請求項１に記載のデータ記録方法。
【請求項３】
上記記録単位は映像フレームでなり、
上記第１の記録単位数は、上記第２の記録単位数よりも１だけ大きい
ことを特徴とする請求項１に記載のデータ記録方法。
【発明の詳細な説明】
【技術分野】
【０００１】
本発明はデータ記録方法に関し、例えば映像信号をディジタル化した後に磁気テープに記録するデータ記録再生装置に適用して好適なものである。
【背景技術】
【０００２】
従来、データ記録再生装置は、ユーザの操作指示に応じて、映像信号を磁気テープに記録し、又は当該磁気テープから映像信号を再生するようになされている。
【０００３】
この場合ビデオテープ記録再生装置は、映像信号の記録又は再生を行う際に、回転ヘッドに取り付けられた磁気ヘッドの軌跡と磁気テープの長手方向との角度を一定に保ちながら磁気テープ上に順方向に記録トラックを書込み、又は読み出すヘリカルスキャン方式の磁気記録再生を行っている。
【０００４】
このためデータ記録再生装置は、早送りや逆方向の再生等、通常の再生と異なる速度で磁気テープを走行させる特殊再生を行うと、回転ヘッドの回転速度を一定に保ったまま当該磁気テープの走行速度のみを変化させるため、当該回転ヘッドに取り付けられた磁気ヘッドを当該磁気テープ上の記録トラックに正確に追従させることができなくなり、再生した映像を乱してしまうという問題があった。
【０００５】
かかる問題を解決するための１つの手法として、データ記録再生装置が特殊再生を行う際に、磁気テープに対する回転ヘッドの回転軸の傾斜角を変化させることによって、当該回転ヘッドの磁気ヘッドで磁気テープの記録トラックを正確に追従させて、再生した映像を乱さないようになされたものがある（例えば、特許文献１参照）。
【特許文献１】特開平９−２２５５４号公報（第６頁、第１図）
【発明の開示】
【発明が解決しようとする課題】
【０００６】
ところで、近年、データ記録再生装置には、映像信号の連続したフレームの一部を間引いて間欠的に磁気テープに記録する間欠記録を行い、当該間欠記録を行った磁気テープを再生することにより、例えば雲の動きや花の開花のようにゆっくりと変化する撮像対象の動きを速めた映像（以下、これを間欠映像と呼ぶ）を再生できるものもある。
【０００７】
ここでデータ記録再生装置は、間欠記録が行われた磁気テープを逆方向に再生すれば、間欠映像の時間順序が逆転した時間逆転間欠映像として再生することができるため、娯楽性を向上できるものと考えられる。
【０００８】
しかしデータ記録再生装置は、磁気テープに対する回転ヘッドの回転軸の傾斜角を固定したまま逆方向の再生を行うと、上述したように再生した映像を乱してしまい、一方、再生した映像を乱さないために磁気テープに対する回転ヘッドの回転軸の傾斜角を変化させる手法を用いると、今度は当該データ記録再生装置の構造が複雑になってしまうという問題があった。
【０００９】
本発明は以上の点を考慮してなされたもので、娯楽性を向上し得るデータ記録方法を提案しようとするものである。
【課題を解決するための手段】
【００１０】
かかる課題を解決するため本発明のデータ記録方法においては、データを所定の記録単位毎にテープ状記録媒体に記録するデータ記録方法において、第１の記録単位数だけテープ状記録媒体を巻戻す第１のステップと、第１のステップで巻戻された位置から順方向に、第１の記録単位数よりも少ない第２の記録単位数に対応するデータを順次テープ状記録媒体に記録する第２のステップとを設け、第１のステップ及び第２のステップを順次繰り返し実行するようにした。
【００１１】
この結果このデータ記録方法では、テープ状記録媒体の順方向と反対の逆方向に沿って順次新しくなるように、第１の記録単位数と第２の記録単位数との差分の記録単位ずつデータを残していくことができるので、当該テープ状記録媒体の順方向に沿って時間的に逆転した間欠のデータの記録を行うことができる。
【発明の効果】
【００１２】
本発明によれば、テープ状記録媒体の順方向と反対の逆方向に沿って順次新しくなるように、第１の記録単位数と第２の記録単位数との差分の記録単位ずつデータを残していくことができるので、当該テープ状記録媒体を順方向に再生するだけで簡易に特殊再生することができ、かくして娯楽性を向上し得るデータ記録方法を実現できる。
【発明を実施するための最良の形態】
【００１３】
以下、図面について、本発明の一実施の形態を詳述する。
【実施例】
【００１４】
（１）本実施の形態によるデータ記録再生装置の構成
図１において、１は全体として本実施の形態によるデータ記録再生装置を示し、制御部２によって全体を統括制御するようになされており、１秒間を３０フレームで構成するＮＴＳＣ（National Television System Committee）方式に準拠した映像信号Ｖ１又は映像信号Ｖ２の記録処理又は再生処理を行うようになされている。
【００１５】
制御部２は、記録再生部３や磁気テープ４１等を制御すると共に、モード遷移部１１内部に記憶される動作モード（例えば「記録モード」や「再生モード」等）をＣＰＵ（Central Processing Unit）１０を介して遷移するようになされている。
【００１６】
この場合モード遷移部１１は、このときの動作モードに応じた制御信号Ｓ１及びＳ２を生成し、これをタイミング信号生成部１２及び２９に送出する。
【００１７】
タイミング信号生成部１２は、モード遷移部１１から取得した制御信号Ｓ１に基づいてサーボ制御信号Ｓ３を生成し、これをソフトウェアサーボ部１３へ送出する。
【００１８】
ソフトウェアサーボ部１３は、タイミング信号生成部１２から取得したサーボ制御信号Ｓ３に基づいてモータ制御信号Ｓ５を生成して、これをモータドライバ１４へ送出する。
【００１９】
モータドライバ１４は、モータ制御信号Ｓ５に基づいてキャプスタンモータ１５を駆動させて磁気テープ４１を走行させる。このとき周波数生成器１６は、キャプスタンモータ１５の回転数に比例して変化する回転周波数を周波数信号Ｓ６として生成し、これをソフトウェアサーボ部１３にフィードバックする。
【００２０】
これによりソフトウェアサーボ部１３は、周波数生成器１６から取得した周波数信号Ｓ６に基づいてモータドライバ１４をフィードバック制御することによって、実際のキャプスタンモータ１５の回転速度を調整し、磁気テープ４１の走行速度を一定に保つようにして順方向又は逆方向に走行させるようになされている。
【００２１】
またタイミング信号生成部１２は、モード遷移部１１から取得した制御信号Ｓ１に基づき、内蔵する発振器（図示せず）から発振されるクロックに基づいてヘッドスイッチング信号Ｓ４を生成し、当該ヘッドスイッチング信号Ｓ４を介してスイッチ２５を適宜切り換える。
【００２２】
なお制御部２は、制御信号Ｓ２及びヘッドスイッチング信号Ｓ４によってタイミング信号生成部２９を制御し、当該タイミング信号生成部２９を介してスイッチ２４を適宜切り換えるようになされている。
【００２３】
一方、記録再生部３では、制御部２による制御に基づいて記録処理又は再生処理を実行するようになされている。
【００２４】
ベースバンド信号処理部２１は、外部より入力された映像信号Ｖ１からベースバンド信号を抽出して所定の符号化を施し、さらに所定の変調処理を行うことによりディジタルデータＤ１を生成して、これをディジタル信号処理部２２へ送出する。
【００２５】
ディジタル信号処理部２２は、ベースバンド信号処理部２１から取得したディジタルデータＤ１に所定の波形化処理を施すことによって、磁気テープ４１への記録フォーマットに対応するディジタル記録データＤ２を生成して、これを記録アンプ２３に入力する。
【００２６】
記録アンプ２３は、ディジタル信号処理部２２からディジタル記録データＤ２を入力されると、これを磁気テープ４１に書込む際に必要なレベルまで増幅し、スイッチ２４及び２５を順次介して、磁気ヘッド２６（２６Ａ又は２６Ｂ）に送出する。
【００２７】
磁気ヘッド２６は、書込み及び読出しを行い得るようになされており、スイッチ２５から入力されたディジタル記録データＤ２を磁気テープ４１に書込む。
【００２８】
実際上図２に示すように、データ記録再生装置１は、制御部２によって制御される記録再生部３を介して、映像信号Ｖ１の１フレームに対応する映像及び音声を表すディジタル記録データＤ２（以下、これをフレームデータＦと呼ぶ）を、ヘリカルスキャン方式によって磁気テープ４１の長手方向に対して所定のトラック角度をなす連続した１０トラック毎に、順方向に走行する磁気テープ４１に順次書込むようになされている。
【００２９】
なお、以下、データ記録再生装置１が１フレーム分のフレームデータFを磁気テープ４１の長手方向に対して所定のトラック角度をなす連続した１０トラックに書込むときの形式を標準形式と呼び、また、データ記録再生装置１が順方向に走行する磁気テープ４１にディジタル記録データＤ２を順次書込むことを順方向記録と呼ぶ。
【００３０】
ちなみにデータ記録再生装置１は、実際上の様々な制約により、映像信号Ｖ１の記録処理を１回行う際に最短記録フレーム数である６フレーム分以上のフレームデータＦを連続して記録するようになされている。
【００３１】
またデータ記録再生装置１は、磁気テープ上の古いディジタル記録データＤ２が記録されたトラックに新たなディジタル記録データＤ２を重ねて記録する、いわゆる上書き記録を行う際に、新たなディジタル記録データＤ２を記録するようになされている。
【００３２】
このようにデータ記録再生装置１は、制御部２による制御に基づいて、入力された映像信号Ｖ１のフレームの順序に合わせて、当該フレームに対応するフレームデータＦを磁気テープ４１に順次記録する（以下、これを標準記録処理と呼ぶ）。
【００３３】
ところで制御部２（図１）のＣＰＵ１０は、操作部１７を介して映像信号Ｖ１の記録処理を停止する操作指示を受け付けると、モード遷移部１１を制御することによって動作モードを「停止モード」に遷移させ、さらにモード遷移部１１から当該「停止モード」に応じた制御信号Ｓ１及びＳ２をそれぞれ送出させる。
【００３４】
その後制御部２は、制御信号Ｓ１及びＳ２に基づいてタイミング信号生成部１２、ソフトウェアサーボ部１３、モータドライバ１４を順次制御することによって、磁気テープ４１の走行を停止させ、さらに記録再生部３を制御することによって映像信号Ｖ１の記録を停止させる。
【００３５】
また制御部２のＣＰＵ１０は、操作部１７を介して磁気テープ４１を巻戻す操作指示を受け付けると、モード遷移部１１を制御することによって動作モードを「巻戻モード」に遷移させ、さらにモード遷移部１１から当該「巻戻モード」に応じた制御信号Ｓ１及びＳ２をそれぞれ送出させる。
【００３６】
その後制御部２は、制御信号Ｓ１及びＳ２に基づいてタイミング信号生成部１２、ソフトウェアサーボ部１３、モータドライバ１４を順次制御することによって、キャプスタンモータ１５を駆動させて磁気テープ４１を巻戻させる。
【００３７】
さらに制御部２のＣＰＵ１０は、操作部１７を介して、磁気テープ４１に記録された映像信号Ｖ２の再生処理を行う操作指示を受け付けると、モード遷移部１１を制御することによって動作モードを「再生モード」に遷移させ、さらにモード遷移部１１から当該「再生モード」に応じた制御信号Ｓ１及びＳ２をそれぞれタイミング信号生成部１２及び２９へ送出させる。
【００３８】
タイミング信号生成部２９は、モード遷移部１１から取得した制御信号Ｓ２に基づいてスイッチ２４を再生アンプ２８側に切り換える。
【００３９】
その後制御部２は、制御信号Ｓ１及びＳ２に基づいてタイミング信号生成部１２、ソフトウェアサーボ部１３、モータドライバ１４を順次制御することによって、キャプスタンモータ１５を駆動させて磁気テープ４１を走行させる。
【００４０】
同時に記録再生部３では、制御部２の制御に基づいて、標準形式のフレームデータＦとして記録されたディジタル再生データＤ３を磁気ヘッド２６によって読み取り、スイッチ２４及び２５を順次介して当該ディジタル再生データＤ３を再生アンプ２８に入力する。
【００４１】
再生アンプ２８は、入力されたディジタル再生データＤ３を増幅し、ディジタル信号処理部２２及びＡＴＦ（Automatic Track Finding）回路３０へ送出する。
【００４２】
ディジタル信号処理部２２は、再生アンプ２８から取得したディジタル再生データＤ３に所定の処理を施すことによってディジタルデータＤ４を生成し、これをベースバンド信号処理部２１に送出する。
【００４３】
ベースバンド信号処理部２１は、ディジタル信号処理部２２から取得したディジタルデータＤ４に所定の復調処理を施し、さらに所定の復号化処理を施して映像信号Ｖ２を生成して出力する。
【００４４】
一方ＡＴＦ回路３０は、タイミング信号生成部２９から取得した切換信号Ｓ７及び再生アンプ２８から取得したディジタル再生データＤ３に基づいて再生パターン信号Ｓ８を生成し、これを制御部２のソフトウェアサーボ部１３へ送出する。
【００４５】
ソフトウェアサーボ部１３は、ＡＴＦ回路３０から取得した再生パターン信号Ｓ８に基づいてトラッキングエラー信号を生成し、当該トラッキングエラー信号に基づいてモータ制御信号Ｓ５をモータドライバ１４に送出する。
【００４６】
すなわち制御部２は、ディジタル再生データＤ３に基づいてキャプスタンモータ１５をフィードバック制御しており、その結果、当該ディジタル再生データＤ３を正確に再生するべく磁気テープ４１の走行を高精度に制御できるようになされている。
【００４７】
この結果データ記録再生装置１は、制御部２の制御に基づいて、磁気テープ４１を高精度に制御して走行させながら、当該磁気テープ４１に標準形式で順方向に記録されたディジタル記録データＤ３を順次読出し、映像信号Ｖ２として再生する（以下、これを標準再生処理と呼ぶ）。
【００４８】
このようにデータ記録再生装置１は、制御部２の制御に基づいて、映像信号Ｖ１を磁気テープ４１に記録し、又は当該磁気テープ４１に記録された映像信号Ｖ２を再生するほか、当該磁気テープ４１の巻き戻し等を行うようになされている。
【００４９】
（２）時間逆転間欠記録処理
ところでデータ記録再生装置１は、上述した標準記録処理とは異なり、入力された映像信号Ｖ１を元に、磁気テープ４１の順方向に移るに連れて時間的に新しいフレームデータＦから間欠して順次古くなるように当該フレームデータＦを記録する、時間逆転間欠記録を行い得るようになされており、以下、この時間逆転間欠記録について説明する。
【００５０】
データ記録再生装置１は、ユーザによる操作部１７を介した操作によって時間逆転間欠記録を行う指示を受け付けると、モード遷移部１１を制御して「時間逆転間欠記録モード」に遷移させ、当該時間逆転間欠記録を行い得る状態にする。
【００５１】
そしてデータ記録再生装置１は、図３（Ａ）に示すように、まず磁気テープ４１に例えば３００フレームだけ順方向記録を行うことによって、１フレーム目の記録位置Ｐ１からテープ走行方向に向かって順方向にフレームデータＦＡ（ＦＡ１、ＦＡ２、…、ＦＡ３００）を順次記録し、３００フレーム目の記録位置Ｐ３００にフレームデータＦＡ３００を記録した時点で記録を停止する。
【００５２】
次にデータ記録再生装置１は、図３（Ｂ）に示すように、磁気テープ４１を例えば７フレーム分だけ巻戻すことにより磁気テープ４１の記録位置Ｐ２９４に記録を行える状態にして、さらに時間逆転間欠映像における間欠の周期に相当する待機時間として、例えば３０秒間待機する。
【００５３】
そしてデータ記録再生装置１は、待機時間（３０秒）の経過後、磁気テープ４１の記録位置Ｐ２９４のトラック（図示せず）上に正確に上書き記録を行うための記録準備として、キャプスタンモータ１５を制御することにより、磁気テープ４１を磁気ヘッド２６の位置に合わせて高精度に調整する。
【００５４】
続いてデータ記録再生装置１は、磁気テープ４１の記録位置Ｐ３００のフレームデータＦＡ３００をそのまま残し、記録位置Ｐ２９４〜Ｐ２９９の既存のフレームデータＦＡ２９４〜ＦＡ２９９の上に新たなフレームデータＦＢ１〜ＦＢ６を順方向記録によって標準形式で順次上書き記録する。
【００５５】
このようにデータ記録再生装置１は、記録位置Ｐ１に記録したフレームデータＦＡ３００よりも時間的に３０秒新しいフレームデータＦＢ６を、当該記録位置Ｐ３００の逆方向の記録位置Ｐ２９９に記録する。
【００５６】
同様にしてデータ記録再生装置１は、図３（Ｃ）に示すように、磁気テープ４１を７フレーム分だけ巻戻し、待機時間（３０秒）だけ待機して、６フレーム分のフレームデータＦを順次記録する処理（以下、これを巻戻記録処理と呼ぶ）を行うことによって、記録位置Ｐ２９３〜Ｐ２９８に６フレーム分のフレームデータＦＣ１〜ＦＣ６を標準形式で上書き記録する。
【００５７】
この後データ記録再生装置１は、上述した巻戻記録処理を繰り返すことによって、図３（Ｄ）に斜線で示すように、磁気テープ４１の順方向に移るに連れて、時間的に新しいフレームデータＦＺ６から順次待機時間（３０秒）ずつ古くなるフレームデータＦＹ６、…、ＦＣ６、ＦＢ６、ＦＡ３００の順序で当該磁気テープ４１に記録することができる。
【００５８】
この結果データ記録再生装置１は、時間逆転間欠記録された磁気テープ４１を標準再生処理によって順方向に再生するだけで、時間逆転間欠映像を再生することができる。
【００５９】
ちなみにデータ記録再生装置１は、最後の巻戻記録処理において磁気テープ４１の最も逆方向の記録位置Ｐ１〜Ｐ６にフレームデータＦＺ１〜ＦＺ６を記録するため、当該磁気テープ４１を巻戻すことなく、時間逆転間欠映像の再生を開始できる。
【００６０】
さらにデータ記録再生装置１は、フレームデータＦＺ６、ＦＹ６、…、ＦＣ６、ＦＢ６、ＦＡ３００を順方向記録によって標準形式で磁気テープ４１にそれぞれ記録しているため、当該磁気テープ４１を標準再生処理によって再生した際に、当該フレームデータＦＺ６、ＦＹ６、…、ＦＣ６、ＦＢ６、ＦＡ３００をそれぞれ正常に読み出すことができ、映像を乱すことが無い。
【００６１】
（３）時間逆転間欠記録処理手順
次に、データ記録再生装置１が上述した時間逆転間欠記録を行う際の時間逆転間欠記録処理手順ＲＴ１について、図４のフローチャートを用いて詳細に説明する。
【００６２】
データ記録再生装置１は、ユーザによる操作部１７を介した時間逆転間欠記録を行う指示を受け付けると、時間逆転間欠記録処理手順ＲＴ１を開始してステップＳＰ１に移る。
【００６３】
ステップＳＰ１においてデータ記録再生装置１は、「時間逆転間欠記録モード」に遷移した上で所定のフレーム数（例えば３００フレーム）だけ順方向記録を行い、次のステップＳＰ２に移る。
【００６４】
ステップＳＰ２においてデータ記録再生装置１は、所定のフレーム数だけ順方向記録を行った後、当該順方向記録を停止させて、次のステップＳＰ３に移る。
【００６５】
ステップＳＰ３においてデータ記録再生装置１は、巻戻記録処理によって記録されたフレームデータＦのフレーム数に基づいて、時間逆転間欠記録を終了するか否かを判定する。ここで否定結果が得られると、このことは巻戻記録処理によって記録されたフレームデータＦのフレーム数がまだ十分ではないためにこの時間逆転間欠記録を継続する必要があることを表しており、このときデータ記録再生装置１は次のステップＳＰ４に移る。
【００６６】
ステップＳＰ４においてデータ記録再生装置１は、磁気テープ４１を所定フレーム（例えば７フレーム）分だけ巻戻し、次のステップＳＰ５に移る。
【００６７】
ステップＳＰ５においてデータ記録再生装置１は、所定の待機時間（例えば３０秒）が経過したか否かを判定する。ここで否定結果が得られると、このとき制御部２は当該待機時間が経過するまでこのステップＳＰ５を繰り返す。
【００６８】
一方ステップＳＰ５において肯定結果が得られると、このことは待機時間が既に経過したために次の記録を開始すべきであることを表しており、このときデータ記録再生装置１は、次のステップＳＰ６に移る。
【００６９】
ステップＳＰ６においてデータ記録再生装置１は、記録準備として磁気テープ４１を磁気ヘッド２６の位置に合わせて高精度に調整し、次のステップＳＰ７に移る。
【００７０】
ステップＳＰ７においてデータ記録再生装置１は、最短記録フレームでなる所定フレーム（例えば６フレーム）だけ標準形式で順方向記録を行い、次のステップＳＰ８に移る。
【００７１】
ステップＳＰ８においてデータ記録再生装置１は、順方向記録を停止した後、再度ステップＳＰ３に戻り、この時間逆転間欠記録を終了するまで、ステップＳＰ４〜ＳＰ８の処理、すなわち巻戻記録処理を繰り返す。
【００７２】
一方、ステップＳＰ３において肯定結果が得られると、このことは既に所定のフレーム数だけ時間逆転間欠記録を行ったために当該時間逆転間欠記録を終了する必要があることを表しており、このときデータ記録再生装置１はステップＳＰ９に移って、この時間逆転間欠記録処理手順ＲＴ１を終了する。
【００７３】
（４）動作及び効果
以上の構成において、データ記録再生装置１は、時間逆転間欠記録の操作指示を受け付けると、まず所定のフレーム数だけ順方向記録を行う。
【００７４】
続いてデータ記録再生装置１は、磁気テープ４１を７フレーム分だけ巻き戻し、６フレーム分のフレームデータＦを磁気テープ４１の順方向に標準形式で順次上書き記録する巻戻記録処理を繰り返す。
【００７５】
従ってデータ記録再生装置１は、巻戻記録処理を繰り返すことによって、磁気テープ４１の逆方向に向かって順次新しくなるようにフレームデータＦＺ６、ＦＹ６、…、ＦＣ６、ＦＢ６、ＦＡ３００（図３（Ｄ））を１フレームずつ残していくことができるため、当該フレームデータＦＺ６、ＦＹ６、…、ＦＣ６、ＦＢ６、ＦＡ３００を順次再生することができ、このとき時間逆転間欠映像を再生することができる。
【００７６】
このときデータ記録再生装置１は、最後の巻戻記録処理においてフレームデータＦＺ１〜ＦＺ６（図３（Ｄ））を記録するため、全ての巻戻記録処理を終了した時点で磁気テープ４１を巻戻すことなく時間逆転間欠映像を再生することができる。
【００７７】
さらにデータ記録再生装置１は、入力された映像信号Ｖ１の各フレームデータＦを、再生した際に時間逆転間欠映像となるような磁気テープ４１上の記録位置Ｐにそれぞれ直接記録するので、後から専用の編集装置を用いて編集操作を行うといった手間をかける必要がなく、容易に時間逆転間欠記録を行うことができる。
【００７８】
さらにデータ記録再生装置１は、各フレームデータＦを順方向記録によって磁気テープ４１に記録しているため、当該フレームデータＦを全て標準形式で記録でき、当該磁気テープ４１を再生する際に特殊な回転ヘッドを有した専用の再生装置や特殊な再生処理を必要とせず、時間逆転間欠記録機能を搭載していないデータ記録再生装置であっても、標準再生処理によって当該磁気テープ４１を再生した際に乱れのない時間逆転間欠映像を再生することができる。
【００７９】
さらにデータ記録再生装置１は、１回の巻戻記録処理により最短記録フレーム数（例えば６フレーム）分のフレームデータＦを磁気テープ４１に記録し、直後の巻戻記録処理により直前の巻戻記録処理における最後のフレームデータＦのみを残して上書き記録しているため、当該最短記録フレームが６フレームであるにもかかわらず、１回の巻戻記録処理の１フレーム分のフレームデータＦのみを順次残していくことができる。
【００８０】
この結果データ記録再生装置１は、この磁気テープ４１の標準再生処理を行った際に、全てのフレームデータＦが１フレームずつ一定の時間間隔毎に新しいものから古いものに順次移っていく滑らかな時間逆転間欠映像を再生することができる。
【００８１】
またデータ記録再生装置１は、１回の巻戻記録処理において、磁気テープ４１を巻戻した後、待機時間（例えば３０秒）だけ待機してからフレームデータＦを記録するため、記録されたフレームデータＦＺ６、ＦＹ６、…、ＦＣ６、ＦＢ６、ＦＡ３００とそれぞれ対応する映像信号Ｖ１の各フレームの間隔を、当該待機時間（例えば３０秒）に合わせることができる。
【００８２】
このためデータ記録再生装置１は、待機時間を調整することによって、フレームデータＦＺ６、ＦＹ６、…、ＦＣ６、ＦＢ６、ＦＡ３００とそれぞれ対応する映像信号Ｖ１の各フレームの間隔を所望の時間に合わせることができる。
【００８３】
以上の構成によれば、データ記録再生装置１は、時間逆転間欠記録の操作指示を受け付けると、所定の記録時間に対応したフレーム数だけ順方向記録を行った後、磁気テープ４１を７フレーム分だけ巻戻し、３０秒間待機してから、６フレーム分のフレームデータＦを標準形式で順次記録する巻戻記録処理を繰り返すことにより時間逆転間欠記録を行うことができるので、標準再生処理によって磁気テープ４１を順方向に再生した際に、乱れのない時間逆転間欠映像を再生することができ、かくして娯楽性を向上させることができる。
【００８４】
（５）他の実施の形態
なお上述の実施の形態においては、１回の巻戻記録処理で記録するデータフレームＦの数を最小記録フレーム数である６フレームとするようにした場合について述べたが、本発明はこれに限らず、１回の巻戻記録処理で記録するデータフレームＦの数を最小記録フレーム数以上の任意のフレーム数とするようにしても良い。
【００８５】
また上述の実施の形態においては、１回の巻戻記録処理で磁気テープ４１を巻戻すフレーム数（例えば７フレーム）を、当該１回の巻戻記録処理で記録するフレーム数（例えば６フレーム）より１フレームだけ多くして、当該１回の巻戻記録処理において、直前の巻戻記録処理で記録された最後の１フレームだけを上書きせず残すようにした場合について述べたが、本発明はこれに限らず、１回の巻戻記録処理で磁気テープ４１を巻戻すフレーム数を、当該１回の巻戻記録処理で記録するフレーム数よりも任意のフレーム数だけ多くするようにしても良い。
【００８６】
さらに上述の実施の形態においては、１回の巻戻記録処理における待機時間を３０秒に設定するようにした場合について述べたが、本発明はこれに限らず、ユーザからの操作指示に基づいて任意の時間に設定できるようにしても良く、この結果、時間逆転間欠映像における各フレーム間の時間間隔を映像信号Ｖ１の内容に応じて適切に調整することができ、娯楽性を一段と向上させることができる。
【００８７】
さらに上述の実施の形態においては、最小記録フレーム数を６とし、また１フレームのトラック数を１０トラックとするようにした場合について述べたが、本発明はこれに限らず、最小記録フレーム数及び１フレームのトラック数をそれぞれ他の数とするようにしても良い。
【００８８】
さらに上述の実施の形態においては、巻戻記録処理を開始する前に３００フレーム分のフレームデータＦＡ（図３（Ａ））を磁気テープ４１に記録するようにした場合について述べたが、本発明はこれに限らず、ユーザの操作指示に基づいて、当該巻戻記録処理を開始する前に任意のフレーム数のフレームデータＦＡを磁気テープ４１に記録するようにしてもよく、さらに既に磁気テープ４１に不要なフレームデータＦが記録されている場合は、巻戻記録処理を開始する前にフレームデータＦＡの記録を行わずにフレームデータＦＢの記録から開始するようにしても良い。
【００８９】
さらに上述の実施の形態においては、映像信号Ｖ１に対して時間逆転間欠記録を行うようにした場合について述べたが、本発明はこれに限らず、音声信号等の他の種類の信号に対して、時間逆転間欠記録を行うようにしてもよい。
【００９０】
さらに上述の実施の形態においては、記録単位としてのフレームデータＦと、テープ状記録媒体としての磁気テープ４１とを用いて、第１のステップとしてのステップＳＰ４と、第２のステップとしてのステップＳＰ７とによってデータ記録方法を構成する場合について述べたが、本発明はこれに限らず、その他種々の記録単位と、テープ状記録媒体とを用いて、その他種々の処理手順でなる第１のステップと、第２のステップとによってデータ記録方法を構成するようにしても良い。
【産業上の利用可能性】
【００９１】
本発明は、ディジタルオーディオテープ記録再生装置等の、テープ状記録媒体を用いた様々なデータ記録装置にも利用できる。
【図面の簡単な説明】
【００９２】
【図１】本実施の形態によるデータ記録再生装置の構成を示す略線図である。
【図２】磁気テープへの記録の様子の説明に供する略線図である。
【図３】時間逆転間欠記録処理の様子の説明に供する略線図である。
【図４】時間逆転間欠記録処理手順を示すフローチャートである。
【符号の説明】
【００９３】
１……データ記録再生装置、２……制御部、３……記録再生部、４１……磁気テープ。
【図１】
2005174464.tif 000003
【図２】
2005174464.tif 000004
【図３】
2005174464.tif 000005
【図４】
2005174464.tif 000006